(57)【要約】【課題】調光安定ユニットと、制御ユニットと、を備え、ＬＥＤの駆動及び照明輝度のリニア調節に適用できる変動電源による調光制御回路を提供すること。【解決手段】制御ユニットによって回路の入力電流を検出し、入力パワーが参照値を下回るときには調光安定ユニットより保持電流を出力させ、入力パワーが参照値を上回るときには、保持電流の出力を中止させる。このように、発光ダイオードを低照度またはオフに近いに調節されたときは、チップを用いて、調光安定ユニットの稼働を制御して、ＴＲＩＡＣ調光の安定性を確保できると共に、高輝度または全輝度に調節されたときには、チップを用いて、保持電流の出力を断ち切り、低度な無効電力消費を有効に軽減し、回路全体の稼働効率を向上することができる。【選択図】図５
2014216310.tif 000002
【特許請求の範囲】
【請求項１】
複数のＬＥＤの駆動及び照明輝度のリニア調節に用いられ、前記ＬＥＤをランプパネルモジュールと直列または並列接続する変動電源による調光制御回路であって、
外部電源と電気接続する調光ユニットと、
前記調光ユニットに電気接続し、前記外部電源の交流電圧を取り込み及び整流した後に、入力電流として出力される整流ユニットと、
定電流装置と、スイッチ素子とを設けられ、整流ユニットと、前記スイッチ素子に電気接続し、入力電流を取り込んで保持電流を形成する調光安定ユニットと、
整流ユニットと、定電流装置と、ランプパネルモジュールに電気接続していて、入力電流を取り込んで、駆動電流を前記ＬＥＤに提供する駆動ユニットと、
センサーデバイスと、コントローラーと、電流制限器と、フィードバック素子とを設けられ、前記センサーデバイスを前記整流ユニットと、前記駆動ユニットと、前記コントローラーとを電気接続し、前記コントローラーを前記スイッチ素子と、前記電流制限器と、前記フィードバック素子とを電気接続し、前記電流制限器を前記ランプパネルモジュールと、前記フィードバック素子と電気接続し、前記センサーデバイスによって、入力電流を取り込んで検知して検出値を形成し、前記フィードバック素子によって、駆動電流を取り込んで検知してフィードバック値を形成し、前記コントローラーによって、前記検出値と、前記フィードバック値とを比較して、駆動信号を出力することによって、前記電流制限器より前記駆動電流を調節し、前記入力電流Ｉinと、前記駆動電流ＩLとが関係式Ｉin＝ＩL（数式２）を満足すると共に、前記コントローラーによって、前記フィードバック値と、参照値との比較をして、前記フィードバック値が前記参照値を下回るときに安定信号を出力し、前記スイッチ素子を導通させ、前記調光安定ユニットより保持電流の出力を容認することによって、前記ＬＥＤを最小輝度または入力電流をオフされたときに、入力電流Ｉinと、保持電流Ｉholdが関係式Ｉin＝Ｉhold（数式３）を満足するように、前記調光安定ユニットの稼働品質を安定し、無効な電力消費を軽減する制御ユニットと、を備えることを特徴とする、
調光制御回路。
【請求項２】
前記整流ユニットはブリッジ全波整流器を使用し、前記調光ユニットはトライアックを用いて、外部電源の入力相位の導通角を取り込み及び調節を行い、入力パワーを改変してＬＥＤの発光輝度を調節することを特徴とする、請求項１記載の変動電源による調光制御回路。
【請求項３】
前記駆動ユニットにアイソレータと、フィルタとを設けられ、前記アイソレータの両端部にそれぞれブリッジ全波整流器と、前記フィルタとを接続していて、前記フィルタと、ランプパネルモジュールが負荷の変化による電圧変異がトライアック稼働の安定性に影響することを防ぎ、前記フィルタをＬＥＤに並列接続していて、前記アイソレータから送られた入力電流を駆動電流に置き換えた後ＬＥＤに送り込み、回路のノイズ耐性を強化させることを特徴とする、請求項２記載の変動電源による調光制御回路。
【請求項４】
前記電流制限器はＮ型酸化金属半導体電界効果トランジスターであり、前記フィードバック素子は抵抗素子であり、前記電流制限器のドレイン電極を前記フィルタと、ＬＥＤに接続し、ゲート電極を前記コントローラーの出力端に接続し、ソース電極を前記フィードバック素子に接続して負帰還回路構造を構成し、安定な電流制御効果を提供すると共に、前記電流制限器をランプパネルモジュールの表面に取り付けることによって、放熱効果が向上されることを特徴とする、請求項３記載の変動電源による調光制御回路。
【請求項５】
前記定電流装置はカレントミラー素子であり、前記スイッチ素子はＮ型酸化金属半導体電界効果トランジスターであり、前記コントローラーは主に演算増幅器と、比較器より構成され、前記演算増幅器の出力端を前記電流制限器のゲート電極に接続し、正の入力端を前記センサーデバイスに接続して、検出値を取り込み、負の入力端を前記比較器の負の入力端と、前記フィードバック素子に接続して、フィードバック値を取り込み、前記比較器の正の入力端は参照値を取り込み、出力端を前記スイッチ素子のゲート電極に接続し、前記スイッチ素子のドレイン電極をカレントミラー素子の出力端に接続することを特徴とする、請求項４記載の変動電源による調光制御回路。
【請求項６】
前記制御ユニットは補償器をさらに設けられ、前記補償器は主に第１抵抗器Ｒ1と、第２抵抗器Ｒ2より組合せられたものであり、前記第１抵抗器の一端を前記電流制限器のドレイン電極に接続することによって電圧値ＶDを形成し、他端を前記第２抵抗器の一端と、前記演算増幅器の負の入力端と、前記比較器の負の入力端に接続され、第２抵抗器の他端を前記フィードバック素子ＲSに接続することによって、前記演算増幅器の正の入力端が検出値ＶAを取り込んだときに、駆動電流ＩLが関係式ＩL＝〔ＶA−ＶD（Ｒ2／Ｒ1＋Ｒ2）〕／ＲS（数式４）を満足することを特徴とする、請求項５記載の変動電源による調光制御回路。
【請求項７】
前記定電流装置はエネルギー移行素子を使用し、前記スイッチ素子はＮ型酸化金属半導体電界効果トランジスターを使用し、前記コントローラーは主に前記演算増幅器と、前記比較器と、ＡＮＤゲートより構成され、前記演算増幅器の出力端を前記電流制限器のゲート電極に接続し、正の入力端を前記センサーデバイスに接続して検出値を取り込み、負の入力端を前記比較器の負の入力端と、前記フィードバック素子に接続してフィードバック値を取り込み、前記比較器の正の入力端によって参照値を取り込み、出力端を前記ＡＮＤゲートの入力端に接続し、前記ＡＮＤゲートもう一つの入力端によって参照波を取り込み、出力端をスイッチ素子のゲート電極に接続し、前記スイッチ素子のドレイン電極をエネルギー移行素子の出力端に接続することを特徴とする、請求項４記載の変動電源による調光制御回路。
【請求項８】
エネルギー移行素子はインダクターであり、前記調光安定ユニットにて遷移型ダイオードをさらに設けられ、前記遷移型ダイオードの入力端をインダクターに接続し、出力端をアイソレータと、前記フィルタに接続することによって、入力電流はインダクターに流れた後に、前記遷移型ダイオードに流れ込み、一次保持電流Ｉhold’を形成することを特徴とする、請求項７記載の変動電源による調光制御回路。
【請求項９】
前記制御ユニットは補償器をさらに設けられ、前記補償器は主に前記第１抵抗器Ｒ1と、前記第２抵抗器Ｒ2より組合せられたものであり、前記第１抵抗器の一端を前記電流制限器のドレイン電極に接続することによって電圧値ＶDを形成し、他端を前記第２抵抗器の一端と、前記演算増幅器の負の入力端と、前記比較器の負の入力端に接続され、前記第２抵抗器の他端を前記フィードバック素子ＲSに接続することによって、前記演算増幅器の正の入力端が検出値ＶAを取り込んだときに、駆動電流ＩLが関係式ＩL＝〔ＶA−ＶD（Ｒ2／Ｒ1＋Ｒ2）〕／ＲS＋  Ｉｈｏｌｄ’（数式５）を満足することを特徴とする、請求項８記載の変動電源による調光制御回路。
【発明の詳細な説明】
【技術分野】
【０００１】
本発明は発光ダイオード（Ｌｉｇｈｔ  Ｅｍｉｔｔｉｎｇ  Ｄｉｏｄｅ，ＬＥＤ）電源装置に関し、特にトライアック（ＴＲＩ−ｅｌｅｃｔｒｏｄｅ  ＡＣ  ｓｗｉｔｃｈ，  ＴＲＩＡＣ）を用いて、ＬＥＤが低照度のときに保持電流を提供し、ＴＲＩＡＣの稼働品質を安定させ、ＬＥＤが高照度のときに、保持電流の出力を断ち切り、回路全体の低度な無効電力消費および稼働時の発生熱の軽減効果を実現できるリニア調光の変動電源による調光制御回路に関する。
【背景技術】
【０００２】
現在のＬＥＤ灯具の駆動回路の多くはトライアク（ＴＲＩＡＣ）を使用し、入力電気エネルギーの導通角度を制御することによって、ＬＥＤ光源輝度調節の機能を実現しているほか、パワーの安定維持及び照明品質改善のため、その多くは定電流の設計構造が使用されている。
ＬＥＤにトランジスターと、検出抵抗器とを直列接続し、検出抵抗器を用いてＬＥＤに流れる駆動電流を検出するため、両端部に電圧降下を形成した上、比較器によって係る電圧降下とを比較した後にハイレベルまたはローレベルの切り換え信号をトランジスターに出力させ、トランジスターを導通または切り離することによって、パルス幅変調（Ｐｕｌｓｅ  Ｗｉｄｔｈ  Ｍｏｄｕｌａｔｉｏｎ，ＰＷＭ）信号の負荷サイクルを適時に調節している。このように、ＰＷＭ信号の導通サイクルによって、出力される駆動の電気エネルギーを制御し、駆動電流の大小及びＬＥＤの発光輝度に影響を与えることができる。
しかし、ＴＲＩＡＣ素子には基準の稼働電圧が要求される特性を有しており、電気エネルギー入力の導通角度が小さすぎて、回路全体の稼働電圧がＴＲＩＡＣに必要な基準稼働電圧を下回る場合、ＴＲＩＡＣの正常稼働ができなくなり、駆動回路の稼働品質にも影響する。このような課題を解決するため、駆動回路にブリーダー回路（Ｂｌｅｅｄｉｎｇ  Ｃｉｒｃｕｉｔ）を追加して、ＴＲＩＡＣに安定な保持電流（Ｈｏｌｄｉｎｇ  Ｃｕｒｒｅｎｔ）を提供することにより稼働品質を安定させ、フリッカー問題を解決すると共に、調光範囲の拡大を合わせて実現できる。
【発明の概要】
【発明が解決しようとする課題】
【０００３】
図１と２の、公知の保持電流機能を有するＬＥＤ駆動回路の回路図と、波形図とを参照する。図に示すように、駆動回路１に調光器１０と、ブリッジ整流器１１と、ホールドスイッチ１２と、電流抵抗器（ＲH）１３と、フィルタコンデンサー１４と、を設け、ブリッジ整流器１１は調光器１０を介して外部電源を取り込み、入力電圧（Ｖin）と、入力電流（Ｉin）に整流すると共に、フィルタコンデンサー１４が入力電流を取り込み、駆動電流（ＩL）に置き換えてＬＥＤに供給される。
さらに、ホールドスイッチ１２はＮ型の酸化金属半導体電界効果トランジスター（Ｎ  Ｔｙｐｅ  Ｍｅｔａｌ  Ｏｘｉｄｅ  Ｓｅｍｉｃｏｎｄｕｃｔｏｒ  Ｆｉｅｌｄ−Ｅｆｆｅｃｔ  Ｔｒａｎｓｉｓｔｏｒ，Ｎ−ＭＯＳＦＥＴ）であり、ドレイン電極をブリッジ整流器１１に接続して、入力電流を取り込み、ソース電極を電流抵抗器１３に接続し、ゲート電極を保持電圧（ＶH）に接続して、電流抵抗器１３はホールドスイッチ１２を介して保持電圧を取り込み、保持電流（Ｉhold）を出力し、関係式Ｉhold＝（ＶH−ＶGS＿N-MOSFET）／ＲH（数式１）を満足する。
これにより、入力電流は図２に示すように、Ｔ1サイクルにおいて、すなわち、ＬＥＤが比較的低輝度またはオフに近い輝度のときには定電流値Ｉholdを有し、そして、ＬＥＤが比較的高輝度または全輝度のＴ2サイクルには電流値ＩL＋Ｉholdを有する。言い換えれば、電気回路の入力パワーの大小にかかわらず、保持電流が引き続きに稼働しているため、高度な無効電力消費を形成して、回路全体の電気変換効率を低下させている。
【０００４】
この問題について、現行の駆動回路構造をいかに改善し、簡単な検出回路を用いて、トライアク（ＴＲＩＡＣ）の保持電流を適時に一定値に維持されるように調節すると共に、無効電力を有効に軽減することに加えて、ＬＥＤの物理特性に従い、簡単な電気回路構造を利用し入力電圧の高圧補償を実現し、回路全体の稼働品質を確実に向上させ、かつ発光ダイオードの発光効率を有効に改善するかが、本発明の研究課題である。
【課題を解決するための手段】
【０００５】
本発明は公知技術の課題についてなされたものであり、入力電圧の大小を検出し、ＴＲＩＡＣの正常稼働に必要な基本電圧をリアルタイムに供給または中止することによって、回路全体の調光安定性を向上すると共に、無効な電力消費を軽減できる変動電源による調光制御回路を提供する。
【０００６】
本発明の目的に基づき、変動電源による調光制御回路は調光ユニットと、整流ユニットと、調光安定ユニットと、駆動ユニットと、制御ユニットと、を備え、複数のＬＥＤの照明輝度の駆動及びリニア調整に適用でき、そのうち、複数のＬＥＤはランプパネルモジュールと直列または並列に接続されている。整流ユニットは調光ユニット経由に外部電源に電気接続し、外部電源の交流電圧を取り込み、整流した後に入力電流を出力される。
調光安定ユニットに定電流装置と、スイッチ素子とを設けられ、定電流装置を整流ユニットと、スイッチ素子に電気接続して、入力電流を取り込んで保持電流を形成する。駆動ユニットは整流ユニットと、定電流装置と、ランプパネルモジュールとを電気接続し、入力電流を取り込み、駆動電流をＬＥＤに提供する。制御ユニットにセンサーデバイスと、コントローラーと、電流制限器と、フィードバック素子スとを設けられ、センサーデバイスを整流ユニットと、駆動ユニットと、コントローラーに電気接続し、コントローラーをスイッチ素子と、電流制限器と、フィードバック素子に電気接続し、電流制限器をランプパネルモジュールと、フィードバック素子に電気接続する。
センサーデバイスが入力電流を取り込んで検知を行うことによって検出値を形成し、フィードバック素子が駆動電流を取り込んで検知を行うことによって、フィードバック値を形成し、コントローラーによって検出値と、フィードバック値とを比較した後に駆動信号を出力し、電流制限器に駆動電流を調節することによって、入力電流Ｉinと、駆動電流ＩLとを関係式Ｉin＝ＩL（数式２）に満足させる。
これと共に、コントローラーによって、フィードバック値と、参照値との比較を行い、フィードバック値が参照値を下回るときには安定信号を出力して、スイッチ素子を導通させ、調光安定ユニットによる保持電流の出力を容認し、ＬＥＤを最小輝度またはオフに調節したときに、係る入力電流Ｉinと、保持電流Ｉholdが関係式Ｉin＝Ｉhold（数式３）に満足するように、調光安定ユニットの稼働品質を安定し、無効な電力消費を軽減する。
【０００７】
そのうち、整流ユニットはブリッジ全波整流器を使用し、調光ユニットはトライアックを用いて、外部電源の入力相位の導通角を取り込み及び調節を行い、入力パワーを改変してＬＥＤの発光輝度を調節する。駆動ユニットにアイソレータと、フィルタとを設けられ、アイソレータの両端部はそれぞれブリッジ全波整流器と、フィルタに接続され、フィルタと、ランプパネルモジュールの負荷変化から引き起こす電源ソースの変異によって、トライアック稼働の安定性に影響することを防ぐ。
フィルタをＬＥＤに並列接続し、アイソレータから送られた入力電流を駆動電流に置き換えた上ＬＥＤに送り、回路のノイズ耐性を強化させる。電流制限器はＮ型酸化金属半導体電界効果トランジスターであり、フィードバック素子は抵抗素子である。さらに、電流制限器のドレイン電極をフィルタと、ＬＥＤに接続し、ゲート電極をコントローラーの出力端に接続し、ソース電極をフィードバック素子に接続して負帰還回路構造を構成し、安定な電流制御効果を提供すると共に、電流制限器をランプパネルモジュールの表面に取り付けることによって、放熱効果が向上される。
【０００８】
一実施態様において、定電流装置はカレントミラー素子であり、スイッチ素子はＮ型酸化金属半導体電界効果トランジスターであり、コントローラーは主に演算増幅器と、比較器より構成される。演算増幅器の出力端を電流制限器のゲート電極に接続し、正の入力端をセンサーデバイスに接続して、検出値を取り込み、負の入力端を比較器の負の入力端と、フィードバック素子に接続して、フィードバック値を取り込む。比較器の正の入力端は参照値を取り込み、出力端をスイッチ素子のゲート電極に接続し、スイッチ素子のドレイン電極をカレントミラー素子の出力端に接続する。
制御ユニットにて補償器をさらに設け、補償器は主に第１抵抗器Ｒ1と、第２抵抗器Ｒ2より組合せられたものであり、第１抵抗器Ｒ1の一端を電流制限器のドレイン電極に接続され電圧値ＶDを形成し、他端を第２抵抗器Ｒ2の一端と、演算増幅器の負の入力端と、比較器の負の入力端に接続され、第２抵抗器Ｒ2の他端をフィードバック素子ＲSに接続することによって、演算増幅器の正の入力端が検出値ＶAを取り込んだとき、駆動電流ＩLは関係式ＩL＝〔ＶA−ＶD（Ｒ2／Ｒ1＋Ｒ2）〕／ＲS（数式４）を満足する。
【０００９】
または、定電流装置はエネルギー移行素子を使用し、スイッチ素子はＮ型酸化金属半導体電界効果トランジスターを使用する。さらに、コントローラーは主に演算増幅器と、比較器と、ＡＮＤゲートより構成される。
演算増幅器の出力端を電流制限器のゲート電極に接続し、正の入力端をセンサーデバイスに接続して検出値を取り込み、負の入力端を比較器の負の入力端と、フィードバック素子に接続してフィードバック値を取り込む。比較器の正の入力端は参照値を取り込み、出力端をＡＮＤゲートの入力端に接続し、ＡＮＤゲートのもう一つの入力端は参照波を取り込み、出力端をスイッチ素子のゲート電極に接続し、スイッチ素子のドレイン電極をエネルギー移行素子の出力端に接続する。
エネルギー移行素子はインダクターであり、調光安定ユニットにて遷移型ダイオードをさらに設けられ、遷移型ダイオードの入力端をインダクターに接続し、出力端をアイソレータと、フィルタに接続することによって、入力電流はインダクターに流れた後に、遷移型ダイオードに流れ込み、一次保持電流Ｉhold’を形成する。
制御ユニットにて補償器をさらに設けられ、補償器は主に第１抵抗器Ｒ1と、第２抵抗器Ｒ2より組合せられたものであり、第１抵抗器Ｒ1の一端を電流制限器のドレイン電極に接続して電圧値ＶDを形成し、他端を第２抵抗器Ｒ2の一端と、演算増幅器の負の入力端と、比較器の負の入力端に接続され、第２抵抗器Ｒ2の他端をフィードバック素子ＲSに接続することによって、演算増幅器の正の入力端が検出値ＶAを取り込んだときに、駆動電流ＩLは関係式ＩL＝〔ＶA−ＶD（Ｒ2／Ｒ1＋Ｒ2）〕／ＲS＋  Ｉhold’（数式５）を満足する。
【発明の効果】
【００１０】
前述のとおり、本発明は単純なスイッチ素子によって保持電流の出力制御を行い、ＬＥＤを最大の発光輝度に調節していても、保持電流が引き続き出力し、不要な電力消費を避けることができる。
さらに、保持電流の出力を断ち切ることによって、回路の電気消費を軽減でき、回路全体の稼働により放出される熱エネルギーを少なくし、電子素子の正常稼働及び使用寿命の延長を確保できる。
さらに、調光安定ユニットはエネルギー移行素子と、ダイオードとを介して、入力電圧をランプパネルモジュールモジュールに運び、スイッチ素子がオフのときに、エネルギー移行素子により電圧エネルギーを置き換えて、回路全体の稼働効率を向上できる。
【図面の簡単な説明】
【００１１】
【図１】公知の保持電流機能を有するＬＥＤ駆動回路の回路図である。
【図２】公知の保持電流機能を有するＬＥＤ駆動回路の波形図である。
【図３】本発明の好ましい実施例の一実施態様のブロック図である。
【図４】本発明の好ましい実施例における２つの実施態様のブロック図である。
【図５】本発明の好ましい実施例の第２実施態様の電気回路図である。
【図６】本発明の好ましい実施例における２つの実施態様の波形図である。
【図７】本発明の好ましい実施例の第３実施態様の電気回路図である。
【図８】本発明の好ましい実施例における第３実施例態様の波形図である。
【発明を実施するための形態】
【００１２】
本発明の内容のさらなる理解を図るため、下記の説明を図面と組合せて、参照していただきたい。
【実施例】
【００１３】
図３ないし５の、それぞれ本発明の好ましい実施例の第１実施態様によるブロック図と、第２実施態様によるブロック図と、電気回路図とを参照する。図に示すように、本発明の変動電源による調光制御回路２は灯具のランプパネルモジュール（図示しない）に取り付けられ、外部電源３の電圧を置き換えて、複数のＬＥＤ４の駆動及び輝度のリニア調整に提供する。
ＬＥＤ４は互いに直列または並列接続した後に、ランプパネルモジュールに取り付ける。本発明の変動電源による調光制御回路２には調光ユニット２０と、整流ユニット２１と、調光安定ユニット２２と、駆動ユニット２３と、制御ユニット２４と、を設けられている。そのうち、調光安定ユニット２２は定電流装置２２０と、スイッチ素子２２１とを有し、駆動ユニット２３はアイソレータ２３０と、フィルタ２３１とを有する。
制御ユニット２４は例えば、センサーデバイス２４０と、コントローラー２４１と、電流制限器２４２と、フィードバック素子２４３と、補償器２４４とを内蔵された制御チップであっても良い。調光ユニット２０はＴＲＩＡＣであり、整流ユニット２１はブリッジ全波整流器である。ブリッジ全波整流器の入力端はＴＲＩＡＣ経由に外部電源３に接続し、ＴＲＩＡＣが外部電源３の入力相位の導通角を取り込んで調節を行い、整流調節された交流電圧を入力電圧（Ｖin）と、可変の直流入力電流（ｌin）とを形成して、調光安定ユニット２２と、駆動ユニット２３と、制御ユニット２４に提供することにより、ＴＲＩＡＣを用いて入力パワーを改変すれば、ＬＥＤ４の発光輝度を調節することができる。
【００１４】
定電流装置２２０はカレントミラー素子であり、スイッチ素子２２１と、電流制限器２４２はＮ−ＭＯＳＦＥＴである。アイソレータ２３０はダイオードであり、フィルタ２３１は電解コンデンサーである。センサーデバイス２４０は主に、分圧抵抗器と、コンデンサーより組合せられ、コントローラー２４１は主に演算増幅器２４１０と、比較器２４１１より構成し、かつフィードバック素子２４３は抵抗素子（ＲS）であり、補償器２４４は主に第１抵抗器（Ｒ1）２４４０と、第２抵抗器（Ｒ2）２４４１より組合せられる。
アイソレータ２３０の入力端をブリッジ全波整流器に接続し、出力端を電解コンデンサーに接続して、フィルタ２３１と、ランプパネルモジュールが負荷の変化による電圧ソースの変遷でＴＲＩＡＣ稼働の安定性の影響を防ぎ、フィルタ２３１をＬＥＤ４に並列接続して、アイソレータ２３０から送ってきた入力電流を駆動電流（ＩL）に置き換えてＬＥＤ４に送り込み、リップル電流を軽減し、ＴＲＩＡＣによる調光が瞬間的なサージ波を形成して、電子素子を破損させることを避ける。これにより、回路の保護効果を形成し、回路のノイズ耐性を向上できる。
【００１５】
カレントミラー素子の入力端をブリッジ全波整流器に接続し、出力端をスイッチ素子２２１のドレイン電極に接続して置き、入力電流を取り込み、保持電流（Ｉhold）の形成に提供する。センサーデバイス２４０をブリッジ全波整流器と、演算増幅器２４１０の正の入力端に接続して置き、入力電流を取り込み検出値を形成して、演算増幅器２４１０に送り込む。
電流制限器２４２のドレイン電極をフィルタ２３１と、ＬＥＤ４に接続し、ゲート電極を演算増幅器２４１０の出力端に接続し、ソース電極をフィードバック素子２４３と、第２抵抗器２４４１の一端に接続し、フィードバック素子２４３は駆動電流を取り込んでフィードバック値を形成する。これにより、負帰還回路の構造を構成して、安定した電流制御効果を提供できる。さらに、電流制限器２４２をランプパネルモジュールの表面に取り付けることによって、放熱効果を向上できる。
【００１６】
さらに、第１抵抗器２４４０の一端を電流制限器２４２のドレイン電極に接続することによって電圧値ＶDを形成し、他端を第２抵抗器２４４１の他端と、演算増幅器２４１０の負の入力端と、比較器２４１１の負の入力端に接続して、フィードバック値をそれぞれ取り込む。
比較器２４１１の正の入力端が参照値を取り込み、出力端をスイッチ素子２２１のゲート電極に接続する。外部電源３から電圧エネルギーを入力し制御ユニット２４によって、検出値ＶAと、フィードバック値を取得し、演算増幅器２４１０を用いて、検出値とフィードバック値との比較を行い、検出値がフィードバック値を上回るときに、高電位の駆動信号を出力し、電流制限器２４２を導通させると共に、駆動電流を調節する。このとき、入力電流と、駆動電流は関係式Ｉin＝ＩL（数式２）に満足すると共に、関係式ＩL＝〔ＶA−ＶD（Ｒ2／Ｒ1＋Ｒ2）〕／ＲS（数式４）はＬＥＤ４に流れる電流値（ＩLED）である。
一方、コントローラー２４１１によって、フィードバック値と参照値との比較を行い、フィードバック値が参照値を上回るときに、低電位の安定信号を出力して、スイッチ素子２２１をオフにし、カレントミラー素子からの保持電流の出力を断ち切る。
これに対して、検出値がフィードバック値を下回っていて、しかもフィードバック値が参照値を下回り、すなわち、ＬＥＤ４を最小輝度に調節することによって駆動電流が最小になったときには、演算増幅器２４１０より低電位の駆動信号を出力させ、電流制限器２４２をオフにし、駆動電流の出力を周期的に停止すると共に、コントローラー２４１１より高電位の安定信号を出力しスイッチ素子２２１を導通させ、カレントミラー素子より保持電流の出力を容認し、入力電流と、保持電流とを関係式Ｉin＝Ｉhold（数式３）を満足させる。これにより、図６に示すように、灯具を高輝度または全輝度に調節されたとき、保持電流の出力が中止される。
回路には一定の稼働電流があるため、ＴＲＡＩＣの異常が発声されず、しかも回路の無効電力消費を確実に軽減できる。一方、最小輝度または入力電流をオフされたときに、保持電流の出力を開始させることは、調光ユニット２０の正常稼働と、百パーセントの調光範囲が確保される。
【００１７】
この実施態様において、調光安定ユニット２２は図７に示すように、遷移型ダイオード２２２をさらに設け、定電流装置２２０はインダクターなどのエネルギー移行素子を設け、コントローラー２４１は主に、演算増幅器２４１０と、比較器と、ＡＮＤゲート２４１２より構成しても良い。
演算増幅器２４１０の出力端を電流制限器２４２のゲート電極に接続し、正の入力端をセンサーデバイス２４０に接続して検出値を取り込み、負の入力端を比較器２４１１の負の入力端と、フィードバック素子２４３に接続してフィードバック値を取り込む。比較器２４１１の正の入力端によって参照値を取り込み、出力端はＡＮＤゲート２４１２の入力端に接続し、ＡＮＤゲート２４１２もう一つの入力端がパルスなどの参照波を取り込み、出力端をスイッチ素子２２１のゲート電極に接続し、スイッチ素子２２１のドレイン電極をエネルギー移行素子の出力端に接続する。
遷移型ダイオード２２２の入力端をインダクターに接続し、出力端をアイソレータ２３０と、フィルタ２３１に接続し、入力電流はインダクターに流れてから、遷移型ダイオード２２２に流れ込み、一次保持電流（Ｉhold’）を形成することによって、駆動電流を関係式ＩL＝〔ＶA−ＶD（Ｒ2／Ｒ1＋Ｒ2）〕／ＲS＋  Ｉhold’（数式５）を満足できる。前述のエネルギー移行の方式は、図８に示すように、本発明の変動電源による調光制御回路２全体の回路効率を向上できる。
【符号の説明】
【００１８】
１        駆動回路
１０      調光器
１１      ブリッジ整流器
１２      ホールドスイッチ
１３      電流抵抗器
１４      フィルタコンデンサー
（本発明）
２        変動電源による調光制御回路
２０      調光ユニット
２１      整流ユニット
２２      調光安定ユニット
２２０    定電流装置
２２１    スイッチ素子
２２２    遷移型ダイオード
２３      駆動ユニット
２３０    アイソレータ
２３１    フィルタ
２４      制御ユニット
２４０    センサーデバイス
２４１    コントローラー
２４１０  演算増幅器
２４１１  比較器
２４２    電流制限器
２４３    フィードバック素子
２４４    補償器
２４４０  第１抵抗器
２４４１  第２抵抗器
２４１２  ＡＮＤゲート
３        外部電源
４        ＬＥＤ
【図１】
2014216310.tif 000003
【図２】
2014216310.tif 000004
【図３】
2014216310.tif 000005
【図４】
2014216310.tif 000006
【図５】
2014216310.tif 000007
【図６】
2014216310.tif 000008
【図７】
2014216310.tif 000009
【図８】
2014216310.tif 000010